(57)【要約】      （修正有）【課題】通常の力では外れない程度にプラグとレセプタクルとが係合するとともに、強い力で引かれるとプラグとレセプタクルとが外れる電気コネクタ構造を提供する。【解決手段】互いに係合するプラグとレセプタクルとからなる電気コネクタ構造として、プラグ１０に固定され、レセプタクル側に面する第一当接面を有する磁石又は磁性体からなる第一吸着部１２と、レセプタクル２０に固定され、レセプタクルがプラグに係合した状態において、第一当接面に当接して磁力により吸着する第二当接面を有する磁石又は磁性体からなる第二吸着部２２とを設ける。【選択図】図１
0003192831.tif 000002
【実用新案登録請求の範囲】
【請求項１】
互いに係合するプラグとレセプタクルとからなる電気コネクタ構造であって、
前記プラグに固定される、前記レセプタクル側に面する第一当接面を有する磁石又は磁性体からなる第一吸着部と、
前記レセプタクルに固定される、前記プラグが前記レセプタクルに係合した状態において、前記第一吸着部の第一当接面に当接して磁力により吸着する第二当接面を有する磁石又は磁性体からなる第二吸着部と
を有する電気コネクタ構造。
【請求項２】
前記レセプタクルは係合部が下方を向くよう固定されるものである請求項１に記載の電気コネクタ構造。
【請求項３】
前記プラグはセンサーマットに連結されるケーブルの先端に設けられるものである請求項１又は２に記載の電気コネクタ構造。
【考案の詳細な説明】
【技術分野】
【０００１】
本考案は、電気的に接続されるコネクタの構造に関し、特に、強い力で引っ張られたときに、破壊されないような構造を有するものに関する。
【背景技術】
【０００２】
電気的に接続するためのコネクタは、容易にはずれないことが求められるために、プラグとレセプタクルが互いにはずれないよう係合する構造を有する。係合するための構造としては、レセプタクル側の電気的に接続する部分の回りに雄ねじを形成し、プラグの電気的に接続する部分の回りに、内周に雌ねじが形成された円筒部を形成し、これらの雄ねじと雌ねじとが係合することで、プラグとレセプタクルとを係合させるものが例示される。この他にも、上記構造でねじを形成することに代えて、嵌り合う部分の内径と外径とをほぼ一致させることで摩擦力により係合するものや、ばねなどで、一方側に設けられる爪を他方側に設けられる凹部に押し付けることで係合するものなども存在する。
【考案の概要】
【考案が解決しようとする課題】
【０００３】
ところで、コネクタに繋がるケーブルに強い引っ張り力が生じた場合、コネクタ部分が強く係合しすぎていると、ケーブルが断線したり、レセプタクル側の機器が破損したりする場合がある。特に、ねじにより係合している場合は、引っ張り力で係合が解けることがないので、コネクタ部分以外が破損することとなる。摩擦力やばねなどで係合している場合は、コネクタがはずれる場合もあるが、ケーブルが引っ張られる方向が真後ろからずれると、コネクタがはずれる前にケーブルの切断等が起こる場合もある。
本考案は、このような問題に鑑みて、電気的に接続されるプラグとレセプタクルとからなるコネクタにおいて、通常の力では外れない程度にプラグとレセプタクルとが係合するとともに、強い力で引かれるとプラグとレセプタクルとが外れるようにすることを課題とする。
【課題を解決するための手段】
【０００４】
上記課題を解決するために、本考案は、次のような構成を有する。
請求項１に記載の考案は、互いに係合するプラグとレセプタクルとからなる電気コネクタ構造であって、前記プラグに固定される、前記レセプタクル側に面する第一当接面を有する磁石又は磁性体からなる第一吸着部と、前記レセプタクルに固定される、前記レセプタクルが前記プラグに係合した状態において、前記第一吸着部の第一当接面に当接して磁力により吸着する第二当接面を有する磁石又は磁性体からなる第二吸着部とを有する電気コネクタ構造である。
請求項２に記載の考案は、前記電気コネクタ構造において、前記レセプタクルは係合部が下方を向くよう固定されるものである。
請求項３に記載の考案は、前記電気コネクタ構造において、前記プラグはセンサーマットに連結されるケーブルの先端に設けられるものである。
【考案の効果】
【０００５】
以上のような構成により、本考案は、次のような効果を奏する。
請求項１に記載の考案は、プラグとレセプタクルとが係合した状態において、プラグの第一吸着部とレセプタクルの第二吸着部とが当接して互いに磁力で吸着するので、磁力を調節することで、所定未満の力で引かれても係合は解けず、ケーブルや機器が破損するような所定以上の力で引かれると係合が解けるようにすることができるので、ケーブルや機器の破損を回避することができる。
請求項２に記載の考案は、多くの場合プラグが固定されているケーブルは床面を這うように設置されるので、ケーブルを引っ張ったときにプラグには下方に引く力が発生する。従って、レセプタクルの係合部が下方を向くように設置されると、ケーブルを引っ掛けたときに下方に移動するプラグは係合が解ける方向に向かうので、係合部分に負荷をあまりかけることなく、プラグをレセプタクルから外れるようにすることができる。
請求項３に記載の考案は、プラグを主としてベッド回りに配置されるセンサーマットに連結されるケーブルの先端に設けるようにすることで、ベッド回りを歩く人や、ベッドを移動させたときにケーブルを引っ掛けて電機コネクタやケーブル等を破損することを抑制することができる。
【図面の簡単な説明】
【０００６】
【図１】実施形態に係る電気コネクタの分離状態を示す斜視図である。
【図２】実施形態に係る電気コネクタの接続状態を示す斜視図である。
【図３】実施形態に係る電気コネクタの接続状態を示す拡大縦断面図である。
【図４】（ａ）は変形例に係る電気コネクタの分離状態を示す斜視図であり、（ｂ）は変形例に係る電気コネクタの接続状態を示す斜視図である。
【考案を実施するための形態】
【０００７】
以下、本考案の実施の形態について、図面を参照しながら説明する。
図１に本実施形態に係る電気コネクタＸの分離状態を表す斜視図を示し、図２に電気コネクタＸの接続状態を表す斜視図を示す。さらに、図３に図２における電気コネクタＸ部分の拡大断面図を示す。電気コネクタＸは、ケーブルＣ先端に設けられるプラグ１０と、ハウジングＨに固定されるレセプタクル２０とから構成される。
【０００８】
プラグ１０は、円柱体に４つの金属製のパイプが埋め込まれた形状を有するプラグ本体１１と、扁平な直方体の磁石からなる第一吸着部１２と、プラグ本体１１、第一吸着部１２を内部に固定する一面が開放した箱体からなるカバー１３とから構成される。プラグ本体１１はカバー１３の開放面側が接合面側となるように固定され、各パイプ部分はカバー１３の開放面に対向する面に固定されるケーブルＣ内を通る配線に連結される。第一吸着部１２はカバー１３の内面にプラグ本体１１に近接して設けられ、第一吸着面となる最大面の一方がカバー１３の開口面と平行に外側に向かうように固定されている。プラグ側吸着部１２を構成する磁石はここでは、第一吸着面がＳ極になるよう固定されている。
【０００９】
レセプタクル２０は、前記プラグ本体１１の四本のパイプに嵌る四本のピンの周りを、前記プラグ本体１１の円柱が嵌る形状の円筒体で囲った構成を有するレセプタクル本体２１と、扁平な直方体状の磁石からなる第二吸着部２２とから構成される。レセプタクル本体２１は上記プラグ本体１１と係合して電気的に接続できるものであって、ハウジングＨの底面に固定され、各ピンはハウジングＨ内部に繋がる配線に連結されている。なお、プラグ本体１１とレセプタクル本体２１との係合は、強いものではなく、軽く引くだけで解ける程度のものに設定される。第二吸着部２２もハウジングＨの底面にレセプタクル本体２１に近接して設けられ、第二吸着面となる最大面の一方が、水平に下方を向くよう固定されている。また、第二吸着面はＮ極に設定され、レセプタクル本体２１とプラグ１０のプラグ本体１１とが係合したときに、第一吸着部１２の第一吸着面と当接するように位置を定められることで、第二吸着部２２の第二吸着面と第一吸着部１２の第一吸着面とは互いに当接して吸着するように構成されている。なお、第一吸着部１２と第二吸着部２２との吸着力は、ケーブルＣが破損する力より十分に小さく、かつ、人が少し強く引っ張った程度では係合が解けない程度の大きさに設定される。
【００１０】
次に以上のような構成を有するコネクタＸの使用方法及び作用効果について説明する。  なお、ここではケーブルＣは、病院のベッド脇に敷かれる図示しないセンサーマットに接続され、ハウジングＨはナースコールに接続されているものとする。
使用に際しては、プラグ本体１１とレセプタクル本体２１とを係合させ、第一吸着体１２と第二吸着体２２とを互いに吸着させて、図２、図３に示すようにプラグ１０とレセプタクル２０とを係合した状態とする。この状態で、ケーブルＣはハウジングＨ内部と電気的に接続された状態となり、ベッド上の患者がベッドから床に降りたり、またはベッドから落ちたりして、センサーマットを押圧するとセンサーマットが反応して、ナースコールとしてベル音により詰め所などに通知がなされる。
ここで、看護師や患者、見舞い客などが誤って脚をケーブルＣに引っ掛けたり、ベッドの移動などに際してケーブルＣがベッドに引っ掛かって強く引っ張られたりすると、まず、磁力により吸着している第一吸着部１２と第二吸着部２２との吸着が解ける。第一吸着部１２と第二吸着部２２との吸着が解けると、レセプタクル本体２１とプラグ本体１１との係合力は弱いので、そのまま、レセプタクル本体２１とプラグ本体１１との係合も解け、プラグ１０はケーブルＣとともに落下することとなる。この状態になればケーブルＣが引かれてもプラグ１０が移動するのみで、ケーブルＣやプラグ１０が破損することはない。また、プラグ１０がレセプタクル２０から分離する際にも、ケーブルＣ、電気コネクタＸ、ハウジングＨのいずれも破損することはない。その後、再び、プラグ１０をレセプタクル２０に係合させれば、通電を再開することができる。
このように、本実施形態に係る電気コネクタＸでは、不慮の事故でケーブルＣが強く引かれるようなことがあっても、電気コネクタＸが分離することで各機器等が破損することが抑制でき、その後、速やかにもとの状態に復旧させることができる。
【００１１】
なお、上記実施形態に示す電気コネクタの形状は例示であって、レセプタクル本体とプラグ本体の形状や、第一吸着部及び第二吸着部の位置及び形状は任意に変更することができる。例えば、図４（ａ）に外れた状態を、図４（ｂ）に係合した状態を示す電気コネクタＹは、プラグ本体１１ａとレセプタクル本体２１ａとは接点同士が接触することで係合するものであり、第一吸着部１２ａ及び第二吸着部２２ａはプラグ本体とレセプタクル本体のそれぞれに接点の回りを取り囲むドーナツ状の磁石により形成されている。このように、第一吸着部及び第二吸着部がレセプタクル本体とプラグ本体とを直接係合するような構造も採用することができる。
さらに、第一吸着体と第二吸着体とは、互いに磁力で吸着できればよいので、いずれか一方を磁石に変えて鉄などの磁性体とすることができる。
【符号の説明】
【００１２】
Ｘ、Ｙ  電気コネクタ
Ｃ  ケーブル
Ｈ  ハウジング
１０、１０A  プラグ
１１、１１ａ  プラグ本体
１２、１２ａ  第一吸着部
２０、２０Ａ  レセプタクル
２１、２１ａ  レセプタクル本体
２２、２２ａ  第二吸着体
【図１】
0003192831.tif 000003
【図２】
0003192831.tif 000004
【図３】
0003192831.tif 000005
【図４】
0003192831.tif 000006